(57)【要約】【課題】生産性の向上が図られるばかりか必要な強度を保持しつつ軽量化が図られ、持ち運び等の取扱いが容易となって作業性の向上も図ることができるコンクリート製柱状物の枕木を提供する。【解決手段】ポリエチレン及びポリプロピレン及び発泡剤をそれぞれ５９．９９〜８０パーセント重量部、１９．９５〜４０パーセント重量部、０．０１〜０．０５パーセント重量部の比率で混合して加熱溶融することにより柱状に成形され、所定の横断面形状をなすと共に一定の長さを有し、内部にはその長さ方向に沿って所定の太さを有する中空金属パイプ２，１２を中空のまま埋設した構成からなる。【選択図】図１
2005104699.tif 000002
【特許請求の範囲】
【請求項１】
ポリエチレン及びポリプロピレン及び発泡剤をそれぞれ５９．９９〜８０パーセント重量部、１９．９５〜４０パーセント重量部、０．０１〜０．０５パーセント重量部の比率で混合して加熱溶融することにより柱状に成形され、所定の横断面形状をなすと共に一定の長さを有し、内部にはその長さ方向に沿って所定太さを有する中空金属パイプを中空のまま埋設したことを特徴とするコンクリート製柱状物の枕木。
【請求項２】
長手方向の両端部にそれぞれ接続するための連結手段を設けた請求項１記載のコンクリート製柱状物の枕木。
【発明の詳細な説明】
【技術分野】
【０００１】
本発明は、例えば成形された複数本のコンクリート電柱を多段に積み重ねて保管する際に、前記コンクリート電柱の下側に支うコンクリート製柱状物の枕木に関するものである。
【背景技術】
【０００２】
従来、この種コンクリート製柱状物の枕木として本出願人が案出し出願したものがある。該コンクリート製柱状物は、所定の横断面形状をなすと共に一定の長さを有し、ポリエチレン及びポリプロピレン及び発泡剤をそれぞれ５９．９９〜８０パーセント重量部、１９．９５〜４０パーセント重量部、０．０１〜０．０５パーセント重量部の比率で混合し加熱溶融して中実の柱状に成形されている。そして、設置面に複数本の基礎枕を所定の間隔離して平行に配設し、その上面に複数本のコンクリート電柱を各基礎杭と直交する向きでかつ所定の間隔離して平行に並置する。次に、その上面にコンクリート電柱と直交するように複数本の枕木を所定の間隔離して平行に配置し、更に、枕木の上面に複数本のコンクリート電柱を並置する。このようにして、以後同様な動作を交互に繰り返すことにより複数本の電柱が多段に積み上げられる。この際、多段に積み重ねられたコンクリート電柱には、枕木上面に位置してコンクリート電柱の無用な回転を防ぐ三角柱状の回転防止部材が一側に支われる（特許文献１参照。）。
【特許文献１】特開２００３−２１２３４３号公報（第３−５頁、図１、図９）
【発明の開示】
【発明が解決しようとする課題】
【０００３】
前記特許文献１のコンクリート製柱状物の枕木は、木材とほぼ同等の硬さを有し、かつ内部に発泡による小さい空洞部が無数に散在して、コンクリート電柱の荷重が加わったとき表面に僅かに窪む凹弧部が形成される程度の柔軟性を備え、材質的に木材と非常に酷似した性質を有する。また、コンクリート製柱状物の外周面が汚れて商品価値が低下するといったことも無い。しかも、耐用年数が長く、長期に亘り安定した状態で使用することができるというものである。しかしながら、コンクリート製柱状物の枕木が合成樹脂製であって中実の柱状をなしており、しかも比較的長い長さ寸法に成形されていることから重量があって撓み易く、このため持ち運び等の取扱いが容易でない。また、例えば、枕木を支いつつ複数本のコンクリート電柱を多段に積み上げた場合、枕木の端部は外側に位置するコンクリート電柱から横方向へ余分に突出している。そこで、真夏の直射日光を受けると前記枕木のコンクリート電柱から突出する部分が熱のために下方へ撓み、このため回転防止部材が位置ずれを起こしてコンクリート電柱が無用に回転し引いては荷崩れを起こすといった危険性が有る。また、見回りの作業者が誤ってその上に足を掛けて滑ってしまいコンクリート電柱の上から転落して大怪我をするといった危険性もある。このように、前記特許文献１のコンクリート製柱状物の枕木は、改良すべき点が残されている。
【０００４】
そこで、本発明は上記改良点に鑑みなされたもので、生産性の向上が図られるばかりか必要な強度を保持しつつ軽量化が図られ、持ち運び等の取扱いが容易となって作業性の向上も図ることができ、更には、コンクリート電柱の保管上の安全性が図られると共に作業上の事故を未然に防ぐこともできるコンクリート製柱状物の枕木を提供することを目的とするものである。
【課題を解決するための手段】
【０００５】
かかる目的を達成するため本発明のコンクリート製柱状物は、ポリエチレン及びポリプロピレン及び発泡剤をそれぞれ５９．９９〜８０パーセント重量部、１９．９５〜４０パーセント重量部、０．０１〜０．０５パーセント重量部の比率で混合して加熱溶融することにより柱状に成形され、所定の横断面形状をなすと共に一定の長さを有し、内部にはその長さ方向に沿って所定の太さを有する中空金属パイプを中空のまま埋設した構成からなる。中空金属パイプは１本または２本使用され、１本の場合はその外径が比較的大きく、２本の場合はその外径が比較的小さく成形され、強度的に耐え得る太さと肉厚を有する。
【０００６】
この場合、長手方向の両端部にそれぞれ接続するための連結手段を設けることが好ましい。
【発明の効果】
【０００７】
本発明は、長手方向に沿って中空金属パイプを中空のまま埋設するようにしたので、その分該中空金属パイプを囲う外周部の樹脂部分がほぼ均一で適度な厚みとなり成形が迅速に行なえる。また、必要な強度が確保され使用に十分耐え得ると共に軽量化が図られ、持ち運び等の取扱いが容易になって作業性の向上を図ることができる。更に、コンクリート電柱の保管上の安全性が図られると共に作業上の安全性も高いという有益な効果を有する。
【０００８】
また、枕木の両端部にそれぞれ接続するための連結手段を設けるようにすれば、長さ寸法の短い枕木を成形して接続すればよく、その成形が簡単になるばかりか一部破損した場合、それが含まれる枕木のみを交換すれば良いから経済的である。
【発明を実施するための最良の形態】
【０００９】
以下、本発明に係るコンクリート製柱状物の枕木（以下、単に枕木という。）の実施の形態を図面と共に説明する。図１は本発明に係る枕木の斜視図である。この枕木１は、コンクリート電柱用として使用されるほか、土中に打ち込まれるコンクリートパイルなどコンクリート製の重量のある柱状物用として使用される。
【００１０】
枕木１は、後記する合成樹脂材により柱状に成形され、横断面が略方形状をなし例えば幅７５ｍｍ、高さ５５ｍｍ、長さ１８５０ｍｍの寸法を有する。また、内部にはその長手方向に沿って左右同じ高さ位置に配置され、所定の間隔離して一対の中空金属パイプ２，２が埋設されている。各中空金属パイプ２，２は鉄製の丸パイプであって、例えば外径が２１．７ｍｍ、肉厚が２．８ｍｍの寸法に設定されている。これら中空金属パイプ２の材質、外径、肉厚はいずれも強度的に十分耐え得るように設定されている。
【００１１】
前記一対の中空金属パイプ２，２間の寸法は例えば１０．３ｍｍに設定される。また、枕木１の上面１ａと下面１ｂには、その長手方向に沿って断面略Ｖ型の凹窪条３，３が設けられている。各凹窪条３の幅寸法は約２３ｍｍ、深さ寸法は１４ｍｍに設定してある。これにより、前記各中空金属パイプ２，２を囲う外周部全体はほぼ均一な厚さとなって部分的に厚くなるということはない。これは、成形時に樹脂が熱によりひけを起こさないようにすると共に早く冷却させることができ、生産性が向上するからである。
【００１２】
そして、ポリエチレンの粉体及びポリプロピレンの粉体及び発泡剤の粉体とをそれぞれ７０パーセント重量部：２９．９８５パーセント重量部：０．０１５パーセント重量部の比率で混合し、温度２３０〜２５０度で加熱溶融させて、例えば流し込み成形又は押出し成形により枕木１が成形される。この枕木１は、木材、例えば杉とほぼ同等の硬さを有し、かつ内部に発泡による小さい空洞部４が無数に散在して、後記するようにコンクリート電柱Ｄの荷重が加わったとき表面１ａに僅かに窪む凹弧部５が形成される程度の柔軟性を備え、木材と材質的に非常に酷似した性質を有する。また、前記発泡剤を加えることにより、成形される枕材１の表面１ａにヒケの生ずるのを防止することもできる。前記各配合比率は木材とほぼ同等の硬さを備えると共に必要な柔軟性をも兼ね備える範囲内で選択される。
【００１３】
図２は、連結手段を設けた枕木を示すものである。この枕木１Ａは、前記枕木１の半分の長さ寸法（例えば９２５ｍｍ）しかなく、構造は前記枕木１とほとんど同じである。よって同一部位は同一番号を付して詳しい説明は省略する。そして、一方の端部１ｃに前記一対の中空金属パイプ２，２が所定長さ突出しており、他方の端部１ｄには前記両中空金属パイプ２，２が挿入される一対の挿通孔６，６が開設されている。この挿通孔６，６は中空金属パイプ２，２が埋設されることにより成形されるものであって、一端部から突出する各中空金属パイプ２，２の突出部２ａ，２ａの突出量と同等の深さを有することになる。両枕木１Ａ，１Ａを接続する場合は、一方の枕木１Ａの両金属パイプ２，２の突出部２ａ，２ａを他方の枕木１Ａの両挿通孔６，６に挿通させる。これにより、両枕木１Ａ，１Ａが簡単に接続される。
【００１４】
本発明に係る枕木１は上記構成からなり、次に、その使用方法を説明する。図３に示すように、設置面Ｅに複数本（例えば３本）の基礎枕Ｍを所定の間隔離して平行に配設する。そして、その上面に複数本（例えば７本）のコンクリート電柱Ｄを各基礎杭Ｍと直交する向きで平行に並置する。次に、その上面にコンクリート電柱Ｄと直交するように３本の枕木１を所定の間隔離して平行に配置し、更に、枕木１の上面に複数本のコンクリート電柱Ｄを並置する。このようにして、以後同様な動作を交互に繰り返すことにより複数本の電柱Ｄが多段に積み上げられる。
【００１５】
この場合、枕木１には木材と同様の必要な硬さと柔軟性とが備えられていることから、枕木１が押し潰されることはない。また、枕木１のコンクリート電柱Ｄと接する部位では、図４に示すようにその表面１ａにコンクリート電柱Ｄの外周面に沿った凹弧部５が形成される。よって、枕木１の上面に乗るコンクリート電柱Ｄは、凹弧部５に嵌り安定することとなり、無用に滑ったり回転して落下することがなく、これにより多段に積み上げたコンクリート電柱Ｄが崩れるといった危険性もない。また、枕木１がポリエチレン及びポリプロピレンといった合成樹脂であることから、コンクリート電柱Ｄの外周面が汚れ商品価値が低下する心配も無く、しかも、耐用年数が木材のものに比較してはるかに長い。
【００１６】
図３において、１５は積み上げられた前記コンクリート電柱Ｄが荷崩れしないように防止するための回転防止部材である。この回転防止部材１５は、三角柱状に成形され、平坦な一側面が平坦な底面に対し鋭角となるブロック形状をなしている。そして、前記枕木１と同様にポリエチレン及びポリプロピレン及び発泡剤をそれぞれ５９．９９〜８０パーセント重量部、１９．９５〜４０パーセント重量部、０．０１〜０．０５パーセント重量部の比率で混合し加熱溶融して成形される。
【００１７】
そして、前記回転防止部材１５は、図３に示すように多段に積み重ねられたコンクリート電柱Ｄ下の枕木１の上面であって、コンクリート電柱Ｄの一側に支われる。これにより、例えば地震などが起きた時でも、コンクリート電柱Ｄの無用な回転が防止され、その崩れを防止するようにしている。この場合特に、枕木１が真夏の直射日光を受けても下方へ撓むことがなく、これにより回転防止部材１５の位置ずれが防止される。
【００１８】
図５、図６は他の実施の形態に係る枕木を示す。この枕木１１も前記合成樹脂材により柱状に成形され、横断面が略方形状をなし例えば幅７５ｍｍ、高さ５５ｍｍ、長さ１８５０ｍｍの寸法を有する。また、内部の中心位置にその長手方向に沿って一本の中空金属パイプ１２が中空のまま埋設されている。該中空金属パイプ１２は鉄製の丸パイプであって、例えば外径が３４ｍｍ、肉厚が２．３ｍｍの寸法に設定されている。この中空金属パイプ１２の材質、外径、肉厚はいずれも強度的に十分耐え得るように設定されている。
【００１９】
枕木１１の長手方向の両端面には、中空金属パイプ１２の中空部と連通しかつほぼ同じ内径を有する円孔１３が開設されるが、このまま使用すると内部の鉄製パイプ１２が錆びる危険性があることから、前記円孔１３内には該円孔１３の内径と同じ外径を有する円板状の蓋板１４を密閉状に嵌入するようにしてもよい。このようにすれば、雨水の流入を防止することができる。この場合も、前記本発明に係る枕木１と同様に使用できる。
【００２０】
なお、いずれの枕木１，１Ａ，１１も横断面が略方形状または方形状に成形したが、可能であれば五角形または六角形といった多角形状であっても良い。同様に、内部に埋設される金属パイプ２，１２も強度的に可能であれば、四角形状、五角形状、六角形状、八角形状またはこれ以上の多角形状であっても良い。
【図面の簡単な説明】
【００２１】
【図１】本発明に係る枕木の一部切欠斜視図。
【図２】接続する一対の枕木の分解斜視図。
【図３】本発明に係る枕木の使用状態を示す斜視図。
【図４】同一部の拡大側面図。
【図５】他の形態の枕木の縦断面図。
【図６】同枕木の横断面図。
【符号の説明】
【００２２】
１      枕木
１Ａ    枕木
２      中空金属パイプ
２ａ    接続手段（突出部）
６      接続手段（挿通孔）
１１    枕木
１２    中空金属パイプ
【図１】
2005104699.tif 000003
【図２】
2005104699.tif 000004
【図３】
2005104699.tif 000005
【図４】
2005104699.tif 000006
【図５】
2005104699.tif 000007
【図６】
2005104699.tif 000008